(57)【要約】      （修正有）【課題】閉状態が検出された時から時間が経過した場合であっても、窓装置が閉状態であるか否かを作業者に対して表示する表示装置を提供する。【解決手段】窓装置が閉状態であるか否かを検出する第１検出部と、第１ポジションと第２ポジションとの間で変位するとともに、第１ポジションに位置したときに閉状態であることを示す表示体１７と、表示体１７を第１ポジションと第２ポジションとの間で変位させる電気式のアクチュエータ２１とを設ける。そして、第１検出部にて閉状態が検出されたときに、アクチュエータ２１に通電して表示体１７を第１ポジションまで変位させた後、当該通電を停止する。これにより、アクチュエータ２１が停止した後であっても、表示体１７の位置は第１ポジションに維持されることとなる。【選択図】図６
0003180331.tif 000002
【実用新案登録請求の範囲】
【請求項１】
窓装置の状態を表示する状態表示装置であって、
前記窓装置が閉状態であるか否かを検出する第１検出部と、
第１ポジションと第２ポジションとの間で変位するとともに、前記第１ポジションに位置したときに前記閉状態であることを示す表示体と、
前記表示体を前記第１ポジションと前記第２ポジションとの間で変位させる電気式のアクチュエータと、
前記第１検出部にて前記閉状態が検出されたときに、前記アクチュエータに通電して前記表示体を前記第１ポジションまで変位させた後、当該通電を停止する第１通電制御部と
を備えることを特徴とする状態表示装置。
【請求項２】
前記表示体は、回転変位可能であり、
前記アクチュエータは、電動モータであり、
さらに、前記表示体は、一方向のみに回転することを特徴とする請求項１に記載の状態表示装置。
【請求項３】
前記第１通電制御部は、
前記電動モータに通電される第１電気回路を開閉する第１スイッチ部、及び
前記電動モータの回転と機械的に同期して回転し、予め設定された回転角度に到達したときに前記第１スイッチ部を作動させて前記第１電気回路を開くスイッチングカム
を有することを特徴とする請求項２に記載の状態表示装置。
【請求項４】
前記窓装置が開状態であるか否かを検出する第２検出部と、
前記第２検出部にて前記開状態が検出されたときに、前記電動モータに通電して前記表示体を前記第２ポジションまで変位させた後、前記電動モータの回転角によらず、通電開始後、予め設定された時間が経過したときに当該通電を停止する第２通電制御部と
を備えることを特徴とする請求項３に記載の状態表示装置。
【考案の詳細な説明】
【技術分野】
【０００１】
本考案は、窓枠及び窓枠に対して変位する障子を有する窓装置に適用される状態表示装置に関するものである。
【背景技術】
【０００２】
例えば、特許文献１に記載の状態表示装置では、窓装置が閉状態となったことを検出する検出部を設け、閉状態が検出されたときに、ランプ等の電気信号を用いた表示部を所定時間だけ点灯させた後、当該表示部を消灯している。
【先行技術文献】
【特許文献】
【０００３】
【特許文献１】特開平９−４１７９６号公報
【考案の概要】
【考案が解決しようとする課題】
【０００４】
しかし、特許文献１に記載の考案では、閉状態が検出されたときに表示部を点灯させ、点灯後、所定時間が経過したときに当該表示部を消灯している。このため、消灯後においては、窓装置が閉状態であるか否かを、作業者に対して表示（報知）することができない。
【０００５】
本考案は、上記点に鑑み、閉状態が検出された時から時間が経過した場合であっても、窓装置が閉状態であるか否かを作業者に対して表示することを目的とする。
【課題を解決するための手段】
【０００６】
本考案は、上記目的を達成するために、窓装置（１）の状態を表示する状態表示装置であって、窓装置（１）が閉状態であるか否かを検出する第１検出部（１９）と、第１ポジションと第２ポジションとの間で変位するとともに、第１ポジションに位置したときに閉状態であることを示す表示体（１７）と、表示体（１７）を第１ポジションと第２ポジションとの間で変位させる電気式のアクチュエータ（２１）と、第１検出部（１９）にて閉状態が検出されたときに、アクチュエータ（２１）に通電して表示体（１７）を第１ポジションまで変位させた後、当該通電を停止する第１通電制御部（２５Ａ、２７）とを備えることを特徴とする。
【０００７】
これにより、本考案では、アクチュエータ（２１）が停止した後であっても、表示体（１７）の位置は第１ポジションに維持されることとなる。したがって、閉状態が検出された時から長時間が経過した場合であっても、窓装置が閉状態であるか否かを作業者に対して表示できる。
【０００８】
ところで、本考案では、アクチュエータ（２１）を駆動する電源は、電池等の蓄電部材、商用電源及び家庭用電源のうちいずれでもよい。そして、特に、蓄電部材を電源としてアクチュエータ（２１）を駆動させる構成とした場合においては、特許文献１に記載の考案より、消費電力を低減できる。
【０００９】
すなわち、特許文献１に記載の考案において、窓装置（１）が閉状態であることを表示し続けるには、表示部に電力を供給し続ける必要がある。これに対して、本考案では、アクチュエータ（２１）が停止した後であっても、表示体（１７）の位置は第１ポジションに維持されるので、アクチュエータ（２１）に電力を供給し続ける必要がない。
【００１０】
したがって、本考案では、蓄電部材を電源としてアクチュエータ（２１）を駆動させる構成とした場合においては、特許文献１に記載の考案より、消費電力を低減できる。
因みに、上記各手段等の括弧内の符号は、後述する実施形態に記載の具体的手段等との対応関係を示す一例であり、本考案は上記各手段等の括弧内の符号に示された具体的手段等に限定されるものではない。
【図面の簡単な説明】
【００１１】
【図１】窓装置１の外観図である。
【図２】巻取機構１３の斜視図である。
【図３】ラチェット機構１５の作動説明図である。
【図４】ラチェット機構１５の作動説明図である。
【図５】前面カバー１０Ａの正面図である。
【図６】（ａ）は前面カバー１０Ａの裏面図であり、（ｂ）は図６（ａ）の左側面図である。
【図７】本考案の第１実施形態に係る表示体１７等の拡大図である。
【図８】本考案の第１実施形態に係る状態表示装置の電気回路図である。
【図９】本考案の第２実施形態に係る表示体１７等の拡大図である。
【図１０】本考案の第２実施形態に係る状態表示装置の電気回路図である。
【考案を実施するための形態】
【００１２】
以下に説明する「考案の実施形態」は実施形態の一例を示すものである。つまり、実用新案登録請求の範囲に記載された考案特定事項等は、下記の実施形態に示された具体的手段や構造等に限定されるものではない。
【００１３】
そして、本実施形態は、本考案に係る窓装置１を排煙窓に適用したものである。なお、排煙窓とは、図１に示すように、窓枠３、及び窓枠３に揺動可能に組み付けられた障子５を有する窓装置１である。
【００１４】
因みに、図１に示す窓装置１は「外倒れ型の排煙窓」である。そして、当該窓装置１は、窓枠３の下部にヒンジ機構（図示せず。）を有し、障子５が建築物（図示せず。）の外側に倒れるように揺動変位する。ヒンジ機構は、窓枠３と障子５とを揺動可能に連結する部品である。
【００１５】
以下、本考案の実施形態を図面と共に説明する。
（第１実施形態）
１．窓装置
本実施形態に係る窓装置１の窓枠３及び障子５は、図１に示すように、アルミニウム等の軽金属からなる矩形枠状に構成されている。なお、窓枠３は、建築物の開口縁部にねじ等の締結手段により固定される。障子５の枠体には、ガラス板等の板状部材が組み付けられている。
【００１６】
このため、窓装置１が閉じられた状態では、上記建築物の開口部が閉じられた状態となる。一方、窓装置１が開いた状態（図１に示す状態）では、障子５が窓枠３に対して揺動変位して上記建築物の開口部が開いた状態となる。
【００１７】
そして、窓装置１には、障子５を窓枠３から離間させる力（以下、離間力という。）を障子５に作用させるステイダンパー７が少なくとも１本設けられている。ステイダンパー７は、筒状のシリンダ及び当該シリンダから出没するロッド等を有して構成されている。
【００１８】
なお、シリンダ内には、離間力を発生させる高圧のガスが封入されている。そして、ステイダンパー７の長手方向一端側は窓枠３に回転可能に連結されている。一方、ステイダンパー７の長手方向他端側は障子５に回転可能に連結されている。このため、ステイダンパー７は、常に離間力を障子５に作用させる。
【００１９】
補助開放機９は、障子５の倒れ角が小さく、ステイダンパー７の離間力が小さいときに離間力を障子５に作用させる。なお、障子５の倒れ角とは、障子５と窓枠３との揺動角をいう。つまり、窓装置１が閉じているときの障子５の倒れ角は０度である。そして、障子５が揺動して窓装置１が開いていくと、これに応じて障子５の倒れ角が大きくなる。
【００２０】
なお、補助開放機９は、揺動アーム９Ａ、及び捻りコイルばね（図示せず。）等の弾性部材等を有している。そして、捻りコイルばねは、障子５の倒れ角が小さくなるほど、その変形量が大きくなるように構成されている。このため、補助開放機９は、障子５の倒れ角が小さいときほど、大きな離間力を障子５に作用させる。
【００２１】
２．ハンドルボックス
ハンドルボックス１０は、図１に示すように、窓装置１を操作するためのオペレータである。すなわち、ハンドルボックス１０は、図２に示すように、障子５に連結されたワイヤー５Ａ（図１参照）を巻き取る巻取機構１３、及び巻取機構１３を収納する収納箱１１等を有している。
【００２２】
巻取機構１３は、図３に示すように、ワイヤー５Ａを巻き取る巻取ドラム（図示せず。）、及び当該巻取ドラムの回転可能方向を制御するラチェット機構１５等を有している。ラチェット機構１５は、後述する開放ボタン１０Ｂ及び巻取ハンドル１０Ｃの操作状況に応じて巻取ドラムの回転可能方向を制御する。
【００２３】
開放ボタン１０Ｂ及び巻取ハンドル１０Ｃは、図５に示すように、ハンドルボックス１０の前面カバー１０Ａに設けられている。なお、前面カバー１０Ａは、ハンドルボックス１０の前面に位置し、収納箱１１の前面側を閉塞する蓋体である。
【００２４】
開放ボタン１０Ｂは、図４に示す矢印の向きに巻取ドラムを回転可能とするための操作部である。そして、開放ボタン１０Ｂが押圧されると、巻取ドラムが図４に示す矢印の向きに回転可能な状態、つまり障子５が開放可能な状態となる。したがって、開放ボタン１０Ｂが押圧されると、ステイダンパー７等の離間力により窓装置１が開く。
【００２５】
また、巻取ハンドル１０Ｃは、ワイヤー５Ａを巻き取る向きに巻取ドラムを回転させる操作部である。巻取ハンドル１０Ｃ（図５の荒い斜線部分）の下端側には、巻取ハンドル１０Ｃを前面カバー１０Ａに対して回転可能に連結し、かつ、巻取ハンドル１０Ｃを前面カバー１０Ａに対して揺動可能とする連結部１０Ｄが設けられている。
【００２６】
そして、巻取ハンドル１０Ｃが前面カバー１０Ａに収納された状態で開放ボタン１０Ｂが押圧されると、巻取ハンドル１０Ｃが前面側に倒れて回転操作可能な状態となる。また、連結部１０Ｄは、ワンウェイクラッチ（図示せず。）を介して前記巻取ドラムに連結されている。
【００２７】
前記ワンウェイクラッチは、巻取ドラムから巻取ハンドル１０Ｃへの回転力の伝達を遮断し、かつ、巻取ハンドル１０Ｃから巻取ドラムへ回転力を伝達する。このため、巻取ドラムに巻かれているワイヤー５Ａが開放されているとき、つまり巻取ドラムが図４に示す矢印の向きに回転しているときには、巻取ハンドル１０Ｃは回転しない。
【００２８】
一方、ワイヤー５Ａを巻き取る向きに巻取ハンドル１０Ｃが回転すると、ラチェット機構１５は、図３の矢印に示すように、ワイヤー５Ａを巻き取る向きに巻取ドラムが回転することを許容し、かつ、図３の矢印と反対向きに巻取ドラムが回転することを規制する。なお、巻取ハンドル１０Ｃは、ワイヤー５Ａを巻き取る向きと反対向きに回転させることはできない。
【００２９】
そして、本実施形態では、ハンドルボックス１０に本考案に係る状態表示装置の主要部が組み込まれている。状態表示装置は、少なくとも窓装置１が閉状態であることを表示する。なお、以下、図４に示す状態をラチェット機構１５が開放可能な状態にあるという。また、図５に示す状態をラチェット機構１５が巻取可能な状態にあるという。
【００３０】
２．２  状態表示装置の構成
前面カバー１０Ａの裏面側には、図６（ａ）に示すように、閉状態であることを示すための表示体１７、表示体１７を変位させる電気式のアクチュエータ２１、及びアクチュエータ２１に電力を供給する電源２１Ａ等が設けられている。なお、本実施形態に係る電源２１Ａは、一次電池等の蓄電体である。
【００３１】
また、窓枠３及び障子５のうち少なくとも一方には、図１に示すように、窓装置１が閉状態であるか否かを検出する第１検出部１９が設けられている。なお、本実施形態に係る第１検出部１９は、障子５に設けられた可動部１９Ａ、及び窓枠３に設けられた固定部１９Ｂからなる非接触式の近接センサである。
【００３２】
表示体１７は、図６（ｂ）に示すように、円柱状又は円筒状の部材であって、第１ポジションと第２ポジションとの間で回転変位する。そして、表示体１７が第１ポジションに位置したときに窓装置１が閉状態でることを示す。
【００３３】
なお、本実施形態では、表示体１７の外周面が、円周方向において少なくとも２つの領域に区画されているとともに、当該区画された２つの領域のうち一方の領域と他方の領域とで異なる形態となっている。
【００３４】
そして、前面カバー１０Ａに設けられた視認用の開口部１０Ｅ（以下、視認窓１０Ｅという。）を通して作業者が前記一方の領域を視認できる状態にあるときに、「表示体１７が第１ポジションに位置する」という。なお、視認窓１０Ｅを通して作業者が前記他方の領域を視認できる状態にあるときに、「表示体１７が第２ポジションに位置する」という。
【００３５】
また、「形態が異なる」とは、例えば、色彩、模様及び形状のうち少なくとも１つが異なることにより、作業者が上記区画された２つの領域を識別することができ得る状態をいう。因みに、本実施形態では、一方の領域と他方の領域とでは色彩が異なっている。
【００３６】
アクチュエータ２１は、図６（ａ）に示すように、表示体１７を支持し、かつ、表示体１７を第１ポジションと第２ポジションとの間で回転変位させる。なお、本実施形態に係るアクチュエータ２１は、電源２１Ａから電力の供給を受けて表示体１７を回転させる直流電動モータである。そこで、以下、アクチュエータ２１を電動モータ２１ともいう。
【００３７】
支持部材２３は、電動モータ２１を前面カバー１０Ａに固定する部材である。この支持部材２３には、後述する第１電気回路Ｃ１を開閉する第１スイッチ部２５Ａが設けられている。第１電気回路Ｃ１は、図８に示すように、電動モータ２１に電力を供給する電気回路である。
【００３８】
また、第１スイッチ部２５Ａは、図７に示すように、スイッチングカム２７により機械的に開閉される。スイッチングカム２７は、電動モータ２１の回転軸２１Ｂと一体的に回転する。このため、電動モータ２１の回転と機械的に同期してスイッチングカム２７が回転し、その回転角が予め設定された回転角度に到達したときに、第１スイッチ部２５Ａが作動して第１電気回路Ｃ１が開かれる。
【００３９】
なお、上記「予め設定された回転角度」とは、例えば、表示体１７に設けられた領域の数で３６０度を除した角度である。そして、本実施形態では、領域の数は２であるので、上記「予め設定された回転角度」とは、１８０度となる。
【００４０】
また、本実施形態では、図２に示すように、窓装置１が開状態であるか否かを検出する第２検出部２９が設けられている。そして、第２検出部２９は、図３及び図４に示すように、ラチェット機構１５の状態、つまり開放ボタン１０Ｂが押圧されたか否か、又は巻取ハンドル１０Ｃが操作されたか否かに基づいて開状態であるか否かを検出する。
【００４１】
すなわち、本実施形態に係る第２検出部２９は、カム３１との接触状態に応じて電気回路を開閉するリミットスイッチにて構成されている。そして、ラチェット機構１５が開放可能な状態となると、図４に示すように、カム３１は第２検出部２９と接触する位置に変位する。
【００４２】
一方、ラチェット機構１５が巻取可能な状態となると、図３に示すように、カム３１は第２検出部２９から離間した位置に変位する。つまり、開放ボタン１０Ｂが押圧されると、カム３１と第２検出部２９と接触して窓装置１が開状態であることが検出される。
【００４３】
２．３  電動モータへの通電制御
図８は、電動モータ２１への通電を制御する通電制御部を示す電気回路図である。電動モータ２１に通電するための電気回路は、第１検出部１９を有する第１電気回路Ｃ１、及び第２検出部２９を有する第２電気回路Ｃ２等を備えている。
【００４４】
第１電気回路Ｃ１には、第１検出部１９及び第１スイッチ部２５Ａが直列に接続されている。このため、第１検出部１９及び第１スイッチ部２５Ａが共に閉じた場合のみ第１電気回路Ｃ１に電流が流れ、電動モータ２１が回転する。
【００４５】
同様に、第２電気回路Ｃ２には、第２検出部２９及び第２スイッチ部２５Ｂが直列に接続されている。このため、第２検出部２９及び第２スイッチ部２５Ｂが共に閉じた場合のみ第２電気回路Ｃ２に電流が流れ、電動モータ２１が回転する。なお、第２スイッチ部２５Ｂは、予め設定された時間だけ電気回路を閉じる手段である
また、上記の「予め設定された時間」として、第１スイッチ部２５Ａが開いた状態から閉じた状態までスイッチングカム２７が回転するために必要な時間である。したがって、第２スイッチ部２５Ｂが開くと、第１スイッチ部２５Ａは閉じた状態となる。
【００４６】
なお、本実施形態に係る第２スイッチ部２５Ｂは、電気抵抗ＲとコンデンサＣとを並列に配設したものであって、上記の「予め設定された時間」はコンデンサＣの静電容量により設定される。
【００４７】
そして、電動モータ２１は、図７に示すように、一方向にのみ回転する。このため、電動モータ２１が１８０度回転する毎に、表示体１７が第１ポジションとなる場合と表示体１７が第２ポジションとなる場合とが交互に繰り返される。
【００４８】
２．４  状態表示装置の作動
開放ボタン１０Ｂが押圧され、窓装置１が開き始めると、第２電気回路Ｃ２に電流が流れて電動モータ２１が回転するため、表示体１７及びスイッチングカム２７が回転する。
【００４９】
そして、表示体１７が第２ポジションに位置し、窓装置１が開状態である旨が視認窓１０Ｅを通じて表示されるとともに、第１スイッチ部２５Ａが閉じるまでスイッチングカム２７が回転したときに、第２スイッチ部２５Ｂが開いて電動モータ２１が停止する。
【００５０】
また、窓装置１が開いた状態において、巻取ハンドル１０Ｃが操作されると、窓装置１が閉じられていく。そして、第１検出部１９により窓装置１の閉状態が検出されると、第１検出部１９が閉じた状態となるので、第１電気回路Ｃ１に電流が流れて電動モータ２１が回転するため、表示体１７及びスイッチングカム２７が回転する。
【００５１】
そして、表示体１７が第１ポジションに位置し、窓装置１が閉状態である旨が視認窓１０Ｅを通じて表示されるとともに、スイッチングカム２７が回転して第１スイッチ部２５Ａが開いたときに電動モータ２１が停止する。したがって、表示体１７は第１ポジションの状態のままとなる。
【００５２】
３  本実施形態に係る状態表示装置の特徴
本実施形態では、アクチュエータ２１が停止した後であっても、表示体１７の位置は第１ポジションに維持されることとなる。したがって、閉状態が検出された時から長時間が経過した場合であっても、窓装置１が閉状態であるか否かを作業者に対して表示できる。
【００５３】
また、本実施形態では、アクチュエータ２１が停止した後であっても、表示体１７の位置は第１ポジションに維持されるので、アクチュエータ２１に電力を供給し続ける必要がない。したがって、本実施形態では、電源２１Ａの消費電力を低減できる。
【００５４】
また、本実施形態では、表示体１７が第１ポジションに位置するか否かは、スイッチングカム２７の回転角、つまり現実の表示体１７の位置によって判定される。一方、表示体１７が第２ポジションに位置するか否は、通電開始後の経過時間に基づいて判定される。
【００５５】
このため、表示体１７が実際に回転した回転角と通電時間とにずれが生じた場合であっても、表示体１７が第１ポジションに位置するか否かは、現実の表示体１７の位置に基づいて判定される。したがって、本実施形態では、上記「回転角と通電時間とのずれ」が過度に大きくなることを未然に抑制できるので、窓装置１が閉状態であることを確実に表示できる。
【００５６】
（第２実施形態）
第１実施形態では、第２スイッチ部２５ＢをコンデンサＣ及び電気抵抗Ｒ等から構成されていたが、本実施形態は、第１スイッチ部２５Ａと同様に、リミットスイッチにて第２スイッチ部２５Ｂを構成したものである。
【００５７】
すなわち、図９に示すように、第２スイッチ部２５Ｂは、スイッチングカム２７を挟んで第１スイッチ部２５Ａと反対側、つまり第１スイッチ部２５Ａに対して略１８０度ずれた位置に配設されている。
【００５８】
そして、図１０に示すように、第２スイッチ部２５Ｂ及び第２スイッチ部２５Ｂが第２電気回路Ｃ２に直列に接続されている。したがって、第１実施形態と同様に、開放ボタン１０Ｂが押圧され、窓装置１が開き始めると、第２電気回路Ｃ２に電流が流れて電動モータ２１が回転するため、表示体１７及びスイッチングカム２７が回転する。
【００５９】
そして、表示体１７が第２ポジションに位置し、窓装置１が開状態である旨が視認窓１０Ｅを通じて表示されるとともに、第１スイッチ部２５Ａが閉じるまでスイッチングカム２７が回転したときに、第２スイッチ部２５Ｂが開いて電動モータ２１が停止する。
【００６０】
また、窓装置１が開いた状態において、巻取ハンドル１０Ｃが操作されると、窓装置１が閉じられていく。そして、第１検出部１９により窓装置１の閉状態が検出されると、第１検出部１９が閉じた状態となるので、第１電気回路Ｃ１に電流が流れて電動モータ２１が回転するため、表示体１７及びスイッチングカム２７が回転する。
【００６１】
そして、表示体１７が第１ポジションに位置し、窓装置１が閉状態である旨が視認窓１０Ｅを通じて表示されるとともに、スイッチングカム２７が回転して第２スイッチ部２５Ｂが閉じ、かつ、第１スイッチ部２５Ａが開いたときに電動モータ２１が停止する。したがって、表示体１７は第１ポジションの状態のままとなる。
【００６２】
（その他の実施形態）
上述の実施形態に係るステイダンパー７はガス圧を利用して離間力を発生させる方式であったが、本考案はこれに限定されるものではなく、例えば、コイルばねの弾性力を利用して離間力を発生させる方式であってもよい。
【００６３】
上述の実施形態では、渦電流方式や静電容量方式等の非接触式の近接センサにて第１検出部１９を構成したが、本考案はこれに限定されるものではなく、リミットスイッチ等の接触式センサにて第１検出部１９を構成してもよい。
【００６４】
また、上述の実施形態では、第２検出部２９を接触式センサにて構成したが、本考案はこれに限定されるものではなく、近接センサ等の非接触式センサにて第２検出部２９を構成してもよい。
【００６５】
また、上述の実施形態では、窓装置１が開状態である旨も表示可能であったが、本考案はこれに限定されるものではなく、窓装置１が開状態である旨の表示機能を廃止してもよい。
【００６６】
また、上述の実施形態では、第１スイッチ部２５Ａ及びスイッチングカム２７にて「第１検出部１９にて閉状態が検出されたときに、アクチュエータ２１に通電して表示体１７を第１ポジションまで変位させた後、当該通電を停止する第１通電制御部」を構成したが、本考案はこれに限定されるものではない。
【００６７】
具体的には、例えば、第１実施形態に係る第２スイッチ部２５Ｂと同様に、第１通電制御部を「電動モータ２１の回転角によらず、通電開始後、予め設定された時間が経過したときに当該通電を停止する構成」としてもよい。
【００６８】
また、上述の実施形態では、機械的なハードウェア又は電気的なハードウェアにて第１通電制御部及び第２通電制御部を構成したが、本考案はこれに限定されるものではなく、例えばマイクロコンピュータに組み込んだソフトウェアにて第１通電制御部及び第２通電制御部を構成してもよい。
【００６９】
また、上述の実施形態では、電動モータにてアクチュエータ２１を構成したが、本考案はこれに限定されるものではなく、例えば、電磁ソレノイド等の回転運動以外のアクチュエータにて表示体１７を変位させてもよい。
【００７０】
また、上述の実施形態では、表示体１７を回転させたが、本考案はこれに限定されるものではなく、例えば、表示体１７を第１ポジションと第２ポジションとの間で往復変位させてもよい。
【００７１】
また、上述の実施形態では、表示体１７を一方向に回転させたが、本考案はこれに限定されるものではなく、例えば、表示体１７を第１ポジションと第２ポジションとの間を往復させるように変位させてもよい。
【００７２】
また、上述の実施形態では、手動操作にてワイヤー５Ａを巻き取る方式であったが、本考案はこれに限定されるものではなく、電動にてワイヤー５Ａを巻き取る方式であってもよい。
【００７３】
また、本考案は、実用新案登録請求の範囲に記載された考案の趣旨に合致するものであればよく、上述の実施形態に限定されるものではない。
【符号の説明】
【００７４】
１… 窓装置  ３… 窓枠  ５… 障子  ５Ａ… ワイヤー  ７… ステイダンパー
９… 補助開放機  ９Ａ… 揺動アーム  １０… ハンドルボックス
１０Ｂ… 開放ボタン  １０Ｃ… 巻取ハンドル  １０Ａ… 前面カバー
１０Ｄ… 連結部  １０Ｅ… 開口部（視認窓）  １１… 収納箱
１３… 巻取機構  １５… ラチェット機構  １７… 表示体  １９… 第１検出部
１９Ａ… 可動部  １９Ｂ… 固定部  ２１… アクチュエータ  ２１Ａ… 電源
２１… 電動モータ  ２１Ｂ… 回転軸  ２３… 支持部材
２５Ａ… 第１スイッチ部  ２５Ｂ… 第２スイッチ部  ２７… スイッチングカム
２９… 第２検出部  ３１… カム  Ｃ１… 第１電気回路  Ｃ２… 第２電気回路
Ｒ… 電気抵抗  Ｃ… コンデンサ
【図１】
0003180331.tif 000003
【図２】
0003180331.tif 000004
【図３】
0003180331.tif 000005
【図４】
0003180331.tif 000006
【図５】
0003180331.tif 000007
【図６】
0003180331.tif 000008
【図７】
0003180331.tif 000009
【図８】
0003180331.tif 000010
【図９】
0003180331.tif 000011
【図１０】
0003180331.tif 000012